(57)【特許請求の範囲】
【請求項１】
基部と、
該基部の一方の縁に折り曲げ可能に接続された、かつ、一方側に突出した板状の第１の突出片と、同第１の突出片の先端部から同第１の突出片の突出方向と略直交する方向に突出した第１の凸部と、同第１の突出片と結ぶ線が同基部の一方の縁に対して略平行となる位置で同第１の突出片と同じ方向に、かつ、同第１の突出片に対して略平行に突出した板状の第２の突出片と、同第２の突出片の先端部から同第１の凸部とは反対方向に突出した第２の凸部とを有する第１の挟持部と、
前記基部の一方の縁と対向する他方の縁に折り曲げ可能に接続された、かつ、同基部を挟んで前記第１の突出片と線対称となる位置に、同第１の突出片が挿通可能であると共に前記第１の凸部が縁に当接可能な第１の結合孔が形成された、かつ、同基部を挟んで前記第２の突出片と線対称となる位置に、同第２の突出片が挿通可能であると共に前記第２の凸部が縁に当接可能な第２の結合孔が形成された、かつ、前記第１の結合孔および前記第２の結合孔が形成された面が前記第１の挟持部の前記第１の突出片および前記第２の突出片が突出した面と対向する位置にあるときに、同第１の突出片および同第２の突出片へ向くことになる方向に、同第１の結合孔の対向する縁および同第２の結合孔の対向する縁それぞれから突出した第１の結合壁および第２の結合壁を有する第２の挟持部とを備え、
前記第１の結合壁は、前記第１の結合孔の両方の端部領域をそれぞれ構成する対向する縁から突出した第１の端部壁領域を有しており、
前記第１の凸部が当接する前記第１の結合孔の縁から突出した前記第１の結合壁の領域に対向すると共に同第１の結合壁の前記第１の端部壁領域を結ぶ線上に位置する領域である第１の中間領域に空間が形成されており、
前記第２の結合壁は、前記第２の結合孔の両方の端部領域をそれぞれ構成する対向する縁から突出した第２の端部壁領域を有しており、
前記第２の凸部が当接する前記第２の結合孔の縁から突出した前記第２の結合壁の領域に対向すると共に同第２の結合壁の前記第２の端部壁領域を結ぶ線上に位置する領域である第２の中間領域に空間が形成され、
前記第１の凸部が当接する前記第１の結合孔の縁と、同縁に対向する縁との間の距離は、同第１の結合孔の端部領域を構成する対向する縁間の距離よりも大きく、
前記第２の凸部が当接する前記第２の結合孔の縁と、同縁に対向する縁との間の距離は、同第２の結合孔の端部領域を構成する対向する縁間の距離よりも大きい
結合具。
【請求項２】
前記第１の凸部が当接する前記第１の結合孔の縁から突出した前記第１の結合壁の同第１の結合孔側の面が、同第１の結合孔と反対側に向けて傾斜しており、
前記第１の凸部が、前記第１の突出片に向けて傾斜しており、
前記第２の凸部が当接する前記第２の結合孔の縁から突出した前記第２の結合壁の同第２の結合孔側の面が、同第２の結合孔と反対側に向けて傾斜しており、
前記第２の凸部が、前記第２の突出片に向けて傾斜した
請求項１に記載の結合具。
【請求項３】
基部と、
該基部の一方の縁に折り曲げ可能に接続された、かつ、一方側に突出した板状の第１の突出片と、同第１の突出片の先端部から同第１の突出片の突出方向と略直交する方向に突出した第１の凸部と、同第１の突出片と結ぶ線が同基部の一方の縁に対して略平行となる位置で同第１の突出片と同じ方向に、かつ、同第１の突出片に対して略平行に突出した板状の第２の突出片と、同第２の突出片の先端部から同第１の凸部とは反対方向に突出した第２の凸部とを有する第１の挟持部と、
前記基部の一方の縁と対向する他方の縁に折り曲げ可能に接続された、かつ、同基部を挟んで前記第１の突出片と線対称となる位置に、同第１の突出片が挿通可能であると共に前記第１の凸部が縁に当接可能な第１の結合孔が形成された、かつ、同基部を挟んで前記第２の突出片と線対称となる位置に、同第２の突出片が挿通可能であると共に前記第２の凸部が縁に当接可能な第２の結合孔が形成された、かつ、前記第１の結合孔および前記第２の結合孔が形成された面が前記第１の挟持部の前記第１の突出片および前記第２の突出片が突出した面と対向する位置にあるときに、同第１の突出片および同第２の突出片へ向くことになる方向に、同第１の結合孔の対向する縁および同第２の結合孔の対向する縁それぞれから突出した第１の結合壁および第２の結合壁を有する第２の挟持部と、
前記基部と着脱可能に連結される蓋部材と、
該蓋部材に対向する位置に配置される、かつ、前記基部と着脱可能に連結される底部材と、
前記第１の挟持部および前記第２の挟持部に挟持される、かつ、前記蓋部材と前記底部材との間に配置され同蓋部材と同底部材との間に空間を形成可能な側壁部材とを備え、
前記第１の結合壁は、前記第１の結合孔の両方の端部領域をそれぞれ構成する対向する縁から突出した第１の端部壁領域を有しており、
前記第１の凸部が当接する前記第１の結合孔の縁から突出した前記第１の結合壁の領域に対向すると共に同第１の結合壁の前記第１の端部壁領域を結ぶ線上に位置する領域である第１の中間領域に空間が形成されており、
前記第２の結合壁は、前記第２の結合孔の両方の端部領域をそれぞれ構成する対向する縁から突出した第２の端部壁領域を有しており、
前記第２の凸部が当接する前記第２の結合孔の縁から突出した前記第２の結合壁の領域に対向すると共に同第２の結合壁の前記第２の端部壁領域を結ぶ線上に位置する領域である第２の中間領域に空間が形成され、
前記第１の凸部が当接する前記第１の結合孔の縁と、同縁に対向する縁との間の距離は、同第１の結合孔の端部領域を構成する対向する縁間の距離よりも大きく、
前記第２の凸部が当接する前記第２の結合孔の縁と、同縁に対向する縁との間の距離は、同第２の結合孔の端部領域を構成する対向する縁間の距離よりも大きい
容器。
【発明の詳細な説明】
【技術分野】
【０００１】
本発明は結合具および容器に関する。詳しくは、例えば組立式の容器に使用される結合具および組立式の容器に係るものである。
【背景技術】
【０００２】
内部に物を収めるための容器であるコンテナには、貨物輸送に使われる大型の物の他に、人間が持ち運べる小型の物もある。
【０００３】
また、小型のコンテナには組立式の物が多くある。組立式コンテナは、台座となるパレットと、胴枠となるスリーブと、天蓋とで主に構成されている。
このような組立式コンテナには、パレットとスリーブとを結合したり、天蓋とスリーブとを結合したりするための結合具が使用されることがある。
【０００４】
例えば特許文献１には、図９に示すようなコンテナ用結合具が記載されている。
すなわち、特許文献１に記載のコンテナ用結合具１００は、結合具本体１０１とキー２２０から構成されている。
【０００５】
また、結合具本体１０１は、連結部１０６と、連結部１０６の両側に連接された内側板１０３および外側板１０４を有する。内側板１０３と外側板１０４は、ヒンジ１０５を介して連結部１０６に連接されている。
【０００６】
また、内側板１０３と外側板１０４にはそれぞれ、スリーブの取付用孔に係止される係止部（１２０、１３０）が突出して設けられている。また、係止部（１２０、１３０）には、スリーブの取付用孔を通じて互いに弾性的に係合して係止される内側係合片１１３と外側係合片１１７がそれぞれ形成されている。
【０００７】
また、内側板１０３の係止部１２０には、外側板１０４との間隔を確保するためのスペーサ１１０が形成されている。また、スペーサ１１０の内側には中間壁１１１が形成されており、中間壁１１１にはＵ字状に開口する開口部１１２が形成されている。
また、開口部１１２には、長方形状の内側係合片１１３が形成されている。
【０００８】
また、外側係合片１１７は、開口部１１２に対応する位置に配置された腕部１１８を有する。
【先行技術文献】
【特許文献】
【０００９】
【特許文献１】特許第３６７５８０９号公報
【発明の概要】
【発明が解決しようとする課題】
【００１０】
しかしながら、特許文献１に記載のコンテナ用結合具において、外側係合片のロックを解除する場合、内側係合片を指先で変形させて、狭い腕部の内側から外さなければならず、操作に手間が掛かっていた。
【００１１】
また、特許文献１に記載のコンテナ用結合具は、１つの開口部に一対の外側係合片を入れてロックするものなので、特許文献１に記載のコンテナ用結合具を使ってコンテナを組み立てた場合、スリーブに形成された取付用孔の縁に大きな負荷を掛けやすかった。その結果、スリーブの劣化を早めてしまっていた。
【００１２】
本発明は、以上の点に鑑みて創案されたものであり、結合解除を容易に行なうことができる結合具、並びに解体を容易に行なうことができる容器を提供することを目的とする。
【課題を解決するための手段】
【００１３】
上記の目的を達成するために、本発明の結合具は、基部と、該基部の一方の縁に折り曲げ可能に接続された、かつ、一方側に突出した板状の第１の突出片と、同第１の突出片の先端部から同第１の突出片の突出方向と略直交する方向に突出した第１の凸部と、同第１の突出片と結ぶ線が同基部の一方の縁に対して略平行となる位置で同第１の突出片と同じ方向に、かつ、同第１の突出片に対して略平行に突出した板状の第２の突出片と、同第２の突出片の先端部から同第１の凸部とは反対方向に突出した第２の凸部とを有する第１の挟持部と、前記基部の一方の縁と対向する他方の縁に折り曲げ可能に接続された、かつ、同基部を挟んで前記第１の突出片と線対称となる位置に、同第１の突出片が挿通可能であると共に前記第１の凸部が縁に当接可能な第１の結合孔が形成された、かつ、同基部を挟んで前記第２の突出片と線対称となる位置に、同第２の突出片が挿通可能であると共に前記第２の凸部が縁に当接可能な第２の結合孔が形成された第２の挟持部とを備える。
【００１４】
ここで、基部の一方の縁に折り曲げ可能に接続された第１の挟持部と、基部の一方の縁と対向する他方の縁に折り曲げ可能に接続された第２の挟持部とによって、第１の挟持部と第２の挟持部との間の距離を拡げたり狭めたりすることができる。
【００１５】
また、一方側に突出した板状の第１の突出片と、第１の突出片の先端部から第１の突出片の突出方向と略直交する方向に突出した第１の凸部と、基部を挟んで第１の突出片と線対称となる位置に形成された、第１の突出片が挿通可能であると共に第１の凸部が縁に当接可能な第１の結合孔とによって、第１の凸部が第１の結合孔の縁に当接するので、力を加えて第１の突出片を一の方向に第１の結合孔を通過させた後は、第１の突出片が一の方向とは逆方向に第１の結合孔を通過することを抑制できる、すなわち、第１の突出片を第１の係合孔に結合できる。
【００１６】
また、第１の突出片と結ぶ線が基部の一方の縁に対して略平行となる位置で第１の突出片と同じ方向に、かつ、第１の突出片に対して略平行に突出した板状の第２の突出片と、第２の突出片の先端部から第１の凸部とは反対方向に突出した第２の凸部と、基部を挟んで第２の突出片と線対称となる位置に形成された、第２の突出片が挿通可能であると共に第２の凸部が縁に当接可能な第２の結合孔とによって、第２の凸部が第２の結合孔の縁に当接するので、力を加えて第２の突出片を一の方向に第２の結合孔を通過させた後は、第２の突出片が一の方向とは逆方向に第２の結合孔を通過することを抑制できる、すなわち、第２の突出片を第２の係合孔に結合できる。
【００１７】
また、第１の突出片の先端部から第１の突出片の突出方向と略直交する方向に突出した第１の凸部と、第２の突出片の先端部から第１の凸部とは反対方向に突出した第２の凸部とによって、第１の凸部と第２の凸部が互いに近づく方向に第１の凸部および第２の凸部に力を加えるだけで、第１の結合孔の縁に対する第１の凸部の当接および第２の結合孔の縁に対する第２の凸部の当接をそれぞれ解除することができる、すなわち、第１の突出片の結合および第２の突出片の結合をそれぞれ解除することができる。
【００１８】
また、本発明の結合具において、第１の凸部が当接する第１の結合孔の縁と、この縁に対向する縁との間の距離は、第１の結合孔の端部領域を構成する対向する縁間の距離よりも大きく、第２の凸部が当接する第２の結合孔の縁と、この縁に対向する縁との間の距離は、第２の結合孔の端部領域を構成する対向する縁間の距離よりも大きいものとすることができる。
【００１９】
この場合、第１の凸部および第２の凸部が互いに近づく方向に第１の凸部および第２の凸部に力を加えたときに、第１の凸部が突出した第１の突出片の領域および第２の凸部が突出した第２の突出片の領域が弾性変形しやすくなり、第１の結合孔の縁に対する第１の凸部の当接および第２の結合孔の縁に対する第２の凸部の当接をそれぞれ、さらに解除しやすくなる。
【００２０】
また、本発明の結合具において、第２の挟持部は、第２の挟持部の第１の結合孔および第２の結合孔が形成された面が第１の挟持部の第１の突出片および第２の突出片が突出した面と対向する位置にあるときに、第１の突出片および第２の突出片へ向くことになる方向に、第１の結合孔の対向する縁および第２の結合孔の対向する縁それぞれから突出した第１の結合壁および第２の結合壁を有するものとすることができる。
【００２１】
この場合、第１の結合壁および第２の結合壁がそれぞれ、第１の突出片および第２の突出片を挟むことができ、第１の突出片の結合および第２の突出片の結合をそれぞれ安定させることができる。
【００２２】
また、本発明の結合具において、第１の凸部が当接する第１の結合孔の縁から突出した第１の結合壁の第１の結合孔側の面が、第１の結合孔と反対側に向けて傾斜しており、第１の凸部が、第１の突出片に向けて傾斜しており、第２の凸部が当接する第２の結合孔の縁から突出した第２の結合壁の第２の結合孔側の面が、第２の結合孔と反対側に向けて傾斜しており、第２の凸部が、第２の突出片に向けて傾斜したものとすることができる。
【００２３】
この場合、第１の突出片が第１の結合孔に結合するときに、第１の凸部が第１の結合壁に押されて第１の突出片が弾性変形しやすくなり、第１の突出片が第１の結合孔に結合しやすくなる。また、第２の突出片が第２の結合孔に結合するときに、第２の凸部が第２の結合壁に押されて第２の突出片が弾性変形しやすくなり、第２の突出片が第２の結合孔に結合しやすくなる。
【００２４】
また、本発明の結合具において、第１の結合壁は、第１の結合孔の両方の端部領域をそれぞれ構成する対向する縁から突出した第１の端部壁領域を有しており、第１の凸部が当接する第１の結合孔の縁から突出した第１の結合壁の領域に対向すると共に第１の結合壁の第１の端部壁領域を結ぶ線上に位置する領域である第１の中間領域に空間が形成されており、第２の結合壁は、第２の結合孔の両方の端部領域をそれぞれ構成する対向する縁から突出した第２の端部壁領域を有しており、第２の凸部が当接する第２の結合孔の縁から突出した第２の結合壁の領域に対向すると共に第２の結合壁の第２の端部壁領域を結ぶ線上に位置する領域である第２の中間領域に空間が形成されたものとすることができる。
【００２５】
この場合、第１の突出片および第２の突出片が押されてさらに弾性変形しやすくなり、第１の突出片がさらに第１の結合孔に結合したり第１の凸部の当接を解除したりしやすくなり、また、第２の突出片がさらに第２の結合孔に結合したり第２の凸部の当接を解除したりしやすくなる。
【００２６】
また、上記の目的を達成するために、本発明の容器は、基部と、該基部の一方の縁に折り曲げ可能に接続された、かつ、一方側に突出した板状の第１の突出片と、同第１の突出片の先端部から同第１の突出片の突出方向と略直交する方向に突出した第１の凸部と、同第１の突出片と結ぶ線が同基部の一方の縁に対して略平行となる位置で同第１の突出片と同じ方向に、かつ、同第１の突出片に対して略平行に突出した板状の第２の突出片と、同第２の突出片の先端部から同第１の凸部とは反対方向に突出した第２の凸部とを有する第１の挟持部と、前記基部の一方の縁と対向する他方の縁に折り曲げ可能に接続された、かつ、同基部を挟んで前記第１の突出片と線対称となる位置に、同第１の突出片が挿通可能であると共に前記第１の凸部が縁に当接可能な第１の結合孔が形成された、かつ、同基部を挟んで前記第２の突出片と線対称となる位置に、同第２の突出片が挿通可能であると共に前記第２の凸部が縁に当接可能な第２の結合孔が形成された第２の挟持部と、前記基部と着脱可能に連結される蓋部材と、該蓋部材に対向する位置に配置される、かつ、前記基部と着脱可能に連結される底部材と、前記第１の挟持部および前記第２の挟持部に挟持される、かつ、前記蓋部材と前記底部材との間に配置され同蓋部材と同底部材との間に空間を形成可能な側壁部材とを備える。
【００２７】
ここで、基部の一方の縁に折り曲げ可能に接続された第１の挟持部と、基部の一方の縁と対向する他方の縁に折り曲げ可能に接続された第２の挟持部とによって、第１の挟持部と第２の挟持部との間の距離を拡げたり狭めたりすることができる。
【００２８】
また、一方側に突出した板状の第１の突出片と、第１の突出片の先端部から第１の突出片の突出方向と略直交する方向に突出した第１の凸部と、基部を挟んで第１の突出片と線対称となる位置に形成された、第１の突出片が挿通可能であると共に第１の凸部が縁に当接可能な第１の結合孔とによって、第１の凸部が第１の結合孔の縁に当接するので、力を加えて第１の突出片を一の方向に第１の結合孔を通過させた後は、第１の突出片が一の方向とは逆方向に第１の結合孔を通過することを抑制できる、すなわち、第１の突出片を第１の係合孔に結合できる。
【００２９】
また、第１の突出片と結ぶ線が基部の一方の縁に対して略平行となる位置で第１の突出片と同じ方向に、かつ、第１の突出片に対して略平行に突出した板状の第２の突出片と、第２の突出片の先端部から第１の凸部とは反対方向に突出した第２の凸部と、基部を挟んで第２の突出片と線対称となる位置に形成された、第２の突出片が挿通可能であると共に第２の凸部が縁に当接可能な第２の結合孔とによって、第２の凸部が第２の結合孔の縁に当接するので、力を加えて第２の突出片を一の方向に第２の結合孔を通過させた後は、第２の突出片が一の方向とは逆方向に第２の結合孔を通過することを抑制できる、すなわち、第２の突出片を第２の係合孔に結合できる。
【００３０】
また、第１の突出片の先端部から第１の突出片の突出方向と略直交する方向に突出した第１の凸部と、第２の突出片の先端部から第１の凸部とは反対方向に突出した第２の凸部とによって、第１の凸部と第２の凸部が互いに近づく方向に第１の凸部および第２の凸部に力を加えるだけで、第１の結合孔の縁に対する第１の凸部の当接および第２の結合孔の縁に対する第２の凸部の当接をそれぞれ解除することができる、すなわち、第１の突出片の結合および第２の突出片の結合をそれぞれ解除することができる。
【００３１】
また、基部と着脱可能に連結される蓋部材と、蓋部材に対向する位置に配置される、かつ、基部と着脱可能に連結される底部材と、第１の挟持部および第２の挟持部に挟持される、かつ、蓋部材と底部材との間に配置され蓋部材と底部材との間に空間を形成可能な側壁部材とによって、第１の突出片を第１の結合孔に結合したり第２の突出片を第２の結合孔に結合したりすることで密閉空間を形成したり、第１の突出片および第２の突出片の結合を解除するだけで密閉空間を開放したりすることができる。
【発明の効果】
【００３２】
本発明に係る結合具は、結合解除を容易に行なうことができる。
本発明に係る容器は、解体を容易に行なうことができる。
【図面の簡単な説明】
【００３３】
【図１】本発明を適用した結合具の一例を示す概略図である。
【図２】本発明を適用した結合具をスリーブに取付ける様子の一例を示す概略図である。
【図３Ａ】本発明を適用した結合具の第１の突出片を第１の結合孔に結合する様子の一例を示す概略部分平面図である。
【図３Ｂ】図３ＡのＡ−Ａ線に沿って切断した概略断面図である。
【図４Ａ】本発明を適用した結合具の第１の突出片が第１の結合孔に結合した様子の一例を示す概略部分平面図である。
【図４Ｂ】図４ＡのＢ−Ｂ線に沿って切断した概略断面図である。
【図５】本発明を適用した結合具の第１の突出片が第１の結合孔に結合した様子の一例を示す概略部分斜視図である。
【図６】本発明を適用した結合具がスリーブに取付けられた様子の一例を示す概略図である。
【図７】本発明を適用した組立式コンテナの一例を示す概略図である。
【図８】本発明を適用した組立式コンテナのスリーブとパレットの結合状態の一例を示す概略断面図である。
【図９】従来のコンテナ用結合具を示す概略図である。
【発明を実施するための形態】
【００３４】
以下、本発明の実施の形態について図面を参照しながら説明し、本発明の理解に供する。
図１は、本発明を適用した結合具の一例を示す概略図である。
【００３５】
図１に示す本発明の結合具１は、平板状の基部２と、基部２の一方の縁にヒンジ部５を介して折り曲げ可能に接続された第１の挟持部３と、基部２の一方の縁と対向する他方の縁にヒンジ部５を介して折り曲げ可能に接続された第２の挟持部４とを備える。
【００３６】
また、第１の挟持部３は、第１の挟持部３の一方側から突出した板状の第１の突出片６と、第１の突出片６の先端部から第１の突出片６の突出方向と略直交する方向に突出した第１の凸部７とを有する。
【００３７】
また、第１の挟持部３は、第１の突出片６と結ぶ線が基部２の一方の縁に対して略平行となる位置において第１の突出片６と同じ方向に、かつ、第１の突出片６に対して略平行に突出した板状の第２の突出片８を有する。
また、第１の挟持部３は、第２の突出片８の先端部から第１の凸部７とは反対方向に突出した第２の凸部９を有する。
【００３８】
また、第１の挟持部３は、第１の突出片６を略円形に囲んで突出した第１の周囲壁１０と、第２の突出片８を略円形に囲んで突出した第２の周囲壁１１とを有する。
【００３９】
また、第２の挟持部４の、基部２を挟んで第１の突出片６と線対称となる位置に第１の結合孔１２が形成されている。
また、第１の突出片６は第１の結合孔１２に挿通可能であり、第１の凸部７は第１の結合孔１２の縁に当接可能である。
【００４０】
また、第２の挟持部４の、基部２を挟んで第２の突出片８と線対称となる位置に第２の結合孔１３が形成されている。
また、第２の突出片８は第２の結合孔１３に挿通可能であり、第２の凸部９は第２の結合孔１３の縁に当接可能である。
【００４１】
また、第２の挟持部４は、第１の結合孔１２の対向する縁から突出した第１の結合壁１４、および第２の結合孔１３の対向する縁から突出した第２の結合壁１５を有する。
【００４２】
ここで、第１の結合壁１４の突出方向および第２の結合壁１５の突出方向は、図１に示すように第１の挟持部３と第２の挟持部４とが略同一平面内に位置するときに、第１の突出片６の突出方向および第２の突出片８の突出方向と同じである。
【００４３】
すなわち、第１の結合壁１４の突出方向および第２の結合壁１５の突出方向は、第１の挟持部３および第２の挟持部４を基部２に対して折り曲げて、第２の挟持部４の、第１の結合孔１２および第２の結合孔１３が形成された面が、第１の挟持部３の、第１の突出片６および第２の突出片８が突出した面と対向する位置にあるときに、第１の突出片６および第２の突出片８へ向くことになる方向である。
【００４４】
また、第２の凸部９が当接する第２の結合孔１３の縁から突出した第２の結合壁１５の第２の結合孔１３側の面が、第２の結合孔１３と反対側に向けて傾斜している。すなわち、第２の凸部９が当接する第２の結合孔１３の縁から突出した第２の結合壁１５の第２の結合孔１３側の面に第２の傾斜部１５Ｂが設けられている。
【００４５】
また、図１には示していないが、第１の凸部７が当接する第１の結合孔１２の縁から突出した第１の結合壁１４の第１の結合孔１２側の面が、第１の結合孔１２と反対側に向けて傾斜している。すなわち、第１の凸部７が当接する第１の結合孔１２の縁から突出した第１の結合壁１４の第１の結合孔１２側の面に、第２の傾斜部１５Ｂのような傾斜部が設けられている。
【００４６】
また、第１の凸部７は第１の突出片６に向けて傾斜しており、また、第２の凸部９は第２の突出片８に向けて傾斜している。
【００４７】
また、第１の結合壁１４は、第１の結合孔１２の両方の端部領域をそれぞれ構成する対向する縁から突出した第１の端部壁領域１４Ａを有する。
【００４８】
また、第１の凸部７が当接する第１の結合孔１２の縁から突出した第１の結合壁１４の領域に対向すると共に第１の結合壁１４の第１の端部壁領域１４Ａを結ぶ線上に位置する領域である第１の中間領域１４Ｃに空間が形成されている。
【００４９】
また、第２の結合壁１５は、第２の結合孔１３の両方の端部領域をそれぞれ構成する対向する縁から突出した第２の端部壁領域１５Ａを有する。
【００５０】
また、第２の凸部９が当接する第２の結合孔１３の縁から突出した第２の結合壁１５の領域に対向すると共に第２の結合壁１５の第２の端部壁領域１５Ａを結ぶ線上に位置する領域である第２の中間領域１５Ｃに空間が形成されている。
【００５１】
また、第２の挟持部４は、第１の結合孔１２と第１の結合壁１４を略円形に囲んで突出した第３の周囲壁１６と、第２の結合孔１３と第２の結合壁１５を略円形に囲んで突出した第４の周囲壁１７とを有する。
【００５２】
また、第１の周囲壁１０の内径と第２の周囲壁１１の内径は略同じである。また、第３の周囲壁１６の内径と第４の周囲壁１７の内径は略同じである。
【００５３】
また、第１の周囲壁１０の内径および第２の周囲壁１１の内径は、第３の周囲壁１６の外径および第４の周囲壁１７の外径よりも大きい。従って、第３の周囲壁１６および第４の周囲壁１７を、第１の周囲壁１０内および第２の周囲壁１１内に嵌め込むことができる。
【００５４】
また、第１の突出片６と第２の突出片８との間の距離、および第１の結合孔１２と第２の結合孔１３との間の距離は特に制限されないが、例えば５〜８ｃｍとすることができる。
【００５５】
また、基部２の略中央部には、基部２の一方の面とこの一方の面に対向する他方の面との間を貫通する貫通孔が形成された角柱状のボス部１８が設けられている。
また、ボス部１８の貫通孔の内面には内ネジ１９が設けられている。
【００５６】
また、第１の挟持部３および第２の挟持部４を基部２に対して折り曲げて、第１の突出片６および第２の突出片８が、第１の結合壁１４および第２の結合壁１５と対向する位置にあるとき内側面となる基部２の面に、基部２を補強するための一対のリブ２０が設けられている。
また、リブ２０は、基部２の長手方向に沿って設けられている。
【００５７】
また、図１に示す本発明の結合具１は、キー２２を備える。キー２２は、略直方体状の摘み部２３と、摘み部２３から突出した、かつ、内ネジ１９と螺合可能なネジが設けられた軸部２４と、軸部２４の先端から突出した角柱部２５とを有する。
【００５８】
また、第１の挟持部３の、第１の突出片６および第２の突出片８が突出した面からは、一対の角柱状の回転拘束部材２１が、第１の突出片６および第２の突出片８と同じ突出方向に突出している。
【００５９】
また、回転拘束部材２１は、基部２の長手方向に対して略直交すると共にボス部１８を通る軸線の延長線上に位置している。
従って、ボス部１８の貫通孔に挿通されて突出したキー２２の角柱部２５は、回転拘束部材２１に弾性的に拘束され、キー２２の自由な回転は抑制される。
【００６０】
また、図２は、本発明を適用した結合具をスリーブに取付ける様子の一例を示す概略図である。
また、図３Ａは、本発明を適用した結合具の第１の突出片を第１の結合孔に結合する様子の一例を示す概略部分平面図である。また、図３Ｂは、図３ＡのＡ−Ａ線に沿って切断した概略断面図である。
【００６１】
また、図４Ａは、本発明を適用した結合具の第１の突出片が第１の結合孔に結合した様子の一例を示す概略部分平面図である。また、図４Ｂは、図４ＡのＢ−Ｂ線に沿って切断した概略断面図である。
また、図５は、本発明を適用した結合具の第１の突出片が第１の結合孔に結合した様子の一例を示す概略部分斜視図である。
また、図６は、本発明を適用した結合具がスリーブに取付けられた様子の一例を示す概略図である。
【００６２】
スリーブ２６には、スリーブ２６の一方の面と、この一方の面と対向する他方の面との間を貫通する、第１の連結孔２７と第２の連結孔２８が形成されている。
【００６３】
また、スリーブ２６の縁には、本発明の結合具１の基部２に設けられたボス部１８やリブ２０の形状、並びに第１の挟持部３の一方の面から突出した回転拘束部材２１の形状に対応した形状を有する切れ込み２９が形成されている。
【００６４】
スリーブ２６とは、例えば消しゴムの紙製のケースと同様の形状を有するものである。すなわち、スリーブ２６は、両端に開口部が形成されており、かつ、内部に形成された空間が開口部を介して外部と連通したものである。
また、スリーブとして、例えばＬ字形状を有するものを使用することもできる。
【００６５】
本発明の結合具１をスリーブ２６に取付ける場合、スリーブ２６に形成された第１の連結孔２７と第２の連結孔２８それぞれに、第１の周囲壁１０と第２の周囲壁１１を嵌め込む。
また、回転拘束部材２１を切れ込み２９に嵌め込む。
【００６６】
次に、第２の挟持部４を基部２に対して矢印Ａの方向に折り曲げて、第３の周囲壁１６および第４の周囲壁１７を、第１の周囲壁１０および第２の周囲壁１１に近づける。
【００６７】
そして、第３の周囲壁１６および第４の周囲壁１７をそれぞれ、第１の周囲壁１０内および第２の周囲壁１１内に嵌め込む。
【００６８】
すると、図３Ａおよび図３Ｂに示すように、第１の突出片６の先端部から突出し、かつ、傾斜面を有する第１の凸部７と、第１の結合壁１４に設けられた第１の傾斜部１４Ｂとが当接して、第１の凸部７が第１の傾斜部１４Ｂに押されて第１の突出片６が弾性変形する。
【００６９】
また、図３Ａに示すように、第１の凸部７が当接する第１の結合孔１２の縁に対向する第１の結合孔１２の縁は、第１の凸部７が当接する第１の結合孔１２の縁から離れる方向に湾曲している。
すなわち、第１の凸部７が当接する第１の結合孔１２の縁と、この縁に対向する縁との間の距離は、第１の結合孔１２の端部領域を構成する対向する縁間の距離よりも大きい。
【００７０】
また、図６に示すように、第２の凸部９が当接する第２の結合孔１３の縁と、この縁に対向する縁との間の距離は、第２の結合孔１３の端部領域を構成する対向する縁間の距離よりも大きい。
【００７１】
さらに、第１の中間領域１４Ｃに空間が形成されている。
このように、第１の突出片６の弾性変形の障害となるものがないので、第１の突出片６は弾性変形しやすい。
一方、図３Ａに示すように、第１の突出片６の両端部は、第１の結合壁１４の第１の端部壁領域１４Ａに挟まれて拘束されるので、第１の突出片６の略中央部を特に弾性変形させやすくなる。
【００７２】
また、図３Ａおよび図３Ｂに示すように、第１の結合孔１２は、第３の周囲壁１６の内部に設けられた第１の中間壁３０に形成されている。
【００７３】
そして、第１の凸部７が第１の係合孔１２を通過すると、図４Ｂや図５に示すように、弾性変形していた第１の突出片６が元の形状に戻り、第１の凸部７が第１の結合孔１２の縁に当接する。
これにより、第１の突出片６を第１の結合孔１２に結合できる。
【００７４】
また、第２の突出片８が第２の結合孔１３に結合するときの機構は、第１の突出片６が第１の結合孔１２に結合するときの機構と同じなので、説明を省略する。
図６に示すように、第２の突出片８が第２の結合孔１３に結合した状態は、第１の突出片６が第１の結合孔１２に結合した状態と同じである。
【００７５】
また、結合を解除するときは、例えば、第１の凸部７を親指で第２の突出片８へ向けて矢印Ｂの方向へ押し、かつ、第２の凸部９を人差し指で第１の突出片６へ向けて矢印Ｃの方向へ押し、第１の凸部７と第１の結合孔１２の縁との当接、および第２の凸部９と第２の結合孔１３の縁との当接を解除する。
【００７６】
その後は、第１の凸部７が第１の結合孔１２を通過するようにすると共に、第２の凸部９が第２の結合孔１３を通過するようにし、本発明の結合具１を、図２に示すような状態にさせる。
【００７７】
ここで、第１の凸部が当接する第１の結合孔の縁と、この縁に対向する縁との間の距離は、必ずしも第１の結合孔の端部領域を構成する対向する縁間の距離よりも大きくなくてもよい。
また、第２の凸部が当接する第２の結合孔の縁と、この縁に対向する縁との間の距離は、必ずしも第２の結合孔の端部領域を構成する対向する縁間の距離より大きくなくてもよい。
【００７８】
しかし、このように距離を大きくすることによって、第１の凸部および第２の凸部が互いに近づく方向に第１の凸部および第２の凸部に力を加えたときに、第１の凸部が突出した第１の突出片の領域および第２の凸部が突出した第２の突出片の領域が弾性変形しやすくなり、第１の結合孔の縁に対する第１の凸部の当接および第２の結合孔の縁に対する第２の凸部の当接をそれぞれ、さらに解除しやすくなるので好ましい。
【００７９】
また、第２の挟持部は、必ずしも第１の結合壁および第２の結合壁を有していなくてもよい。
しかし、第２の挟持部が、第１の結合壁および第２の結合壁を有していれば、第１の結合壁および第２の結合壁がそれぞれ、第１の突出片および第２の突出片を挟むことができ、第１の突出片の結合および第２の突出片の結合をそれぞれ安定させることができるので好ましい。
【００８０】
また、第１の結合壁には必ずしも第１の傾斜部が設けられていなくてもよく、また、第２の結合壁には必ずしも第２の傾斜部が設けられていなくてもよい。
また、第１の凸部は、必ずしも第１の突出片に向けて傾斜していなくてもよく、また、第２の凸部は、必ずしも第２の突出片に向けて傾斜していなくてもよい。
【００８１】
しかし、第１の結合壁に第１の傾斜部が設けられ、第２の結合壁に第２の傾斜部が設けられ、第１の凸部が第１の突出片に向けて傾斜しており、そして第２の凸部が第２の突出片に向けて傾斜していれば、第１の突出片が第１の結合孔に結合するときに、第１の凸部が第１の結合壁に押されて第１の突出片が弾性変形しやすくなり、第１の突出片が第１の結合孔に結合しやすくなる。また、第２の突出片が第２の結合孔に結合するときに、第２の凸部が第２の結合壁に押されて第２の突出片が弾性変形しやすくなり、第２の突出片が第２の結合孔に結合しやすくなる。よって、好ましい。
【００８２】
また、必ずしも第１の中間領域に空間が形成されていなくてもよく、また、必ずしも第２の中間領域に空間が形成されていなくてもよい。
しかし、第１の中間領域と第２の中間領域に空間が形成されていれば、第１の突出片および第２の突出片が押されてさらに弾性変形しやすくなり、第１の突出片がさらに第１の結合孔に結合したり第１の凸部の当接を解除したりしやすくなり、また、第２の突出片がさらに第２の結合孔に結合したり第２の凸部の当接を解除したりしやすくなるので好ましい。
【００８３】
また、基部を、容器の蓋部材や底部材と連結できるのであれば、本発明の結合具は、必ずしもキーを備えていなくてもよい。
【００８４】
図７は、本発明を適用した組立式コンテナの一例を示す概略図である。また、図８は、本発明を適用した組立式コンテナのスリーブとパレットの結合状態の一例を示す概略断面図である。
【００８５】
図７に示す本発明の組立式コンテナ４１は、本発明の結合具１を備える。すなわち、本発明の組立式コンテナ４１は、基部と、第１の挟持部と、第２の挟持部とを備える。
ここで、組立式コンテナは、容器の一例である。
【００８６】
また、本発明の組立式コンテナ４１は、基部と着脱可能に連結された天蓋４２を備える。
すなわち、天蓋４２に形成された連結用の貫通孔にキーの軸部が挿通されると共に、基部のボス部に形成された貫通孔にキーの軸部が挿通されて、基部と天蓋４２が着脱可能に連結されている。
【００８７】
従って、天蓋４２の表面には、キーの摘み部２３が露出している。ここで、天蓋は蓋部材の一例である。
【００８８】
また、本発明の組立式コンテナ４１は、天蓋４２に対向する位置に配置された、かつ、基部と着脱可能に連結されたパレット４３を備える。
【００８９】
すなわち、パレット４３に形成された連結用の貫通孔にキーの軸部が挿通されると共に、基部のボス部に形成された貫通孔にキーの軸部が挿通されて、基部とパレット４３が着脱可能に連結されている。
【００９０】
従って、パレット４３の表面には、キーの摘み部２３が露出している。ここで、パレットは底部材の一例である。
【００９１】
また、パレット４３は、天蓋４２とは反対方向に突出した脚４３Ａと、四辺に沿って設けられた側壁４３Ｂとを有する。また、脚４３Ａの上方であり、かつ、側壁４３Ｂの内側には、キーの軸部が挿通される連結用孔が形成されている。
【００９２】
また、本発明の組立式コンテナ４１は、第１の挟持部と第２の挟持部に挟持された、かつ、天蓋４２とパレット４３との間に配置され天蓋４２とパレット４３との間に空間を形成可能なスリーブ２６を備える。
【００９３】
このとき、第１の挟持部と第２の挟持部はスリーブ２６を挟んだ状態で互いに結合し、図６に示したように、スリーブ２６に取付けられる。
ここで、スリーブ２６は、側壁部材の一例である。
【００９４】
また、第１の挟持部と第２の挟持部は基部に一体的に接続されているので、天蓋４２とスリーブ２６とは互いに結合され、パレット４３とスリーブ２６とは互いに結合されることになる。
【００９５】
このときのスリーブ２６とパレット４３との結合状態は図８に示すような状態である。
すなわち、キー２２の軸部２４は、パレット４３の連結用孔４３Ｃに挿通されると共に、基部２に設けられたボス部１８の貫通孔に挿通され、さらに角柱部２５は回転拘束部材２１に拘束されている。
【００９６】
また、スリーブ２６と天蓋４２との結合状態も、パレット４３が天蓋４２に替わる以外は図８に示す状態と同じである。
【００９７】
以上のように、本発明の結合具は、第１の突出片の先端部から第１の突出片の突出方向と略直交する方向に突出した第１の凸部と、第２の突出片の先端部から第１の凸部とは反対方向に突出した第２の凸部とによって、第１の凸部と第２の凸部が互いに近づく方向に第１の凸部および第２の凸部に力を加えるだけで、第１の結合孔の縁に対する第１の凸部の当接および第２の結合孔の縁に対する第２の凸部の当接をそれぞれ解除することができる。すなわち、第１の突出片の結合および第２の突出片の結合をそれぞれ解除することができる。
【００９８】
従って、例えば、親指と人差し指で第１の凸部と第２の凸部を挟んで、第１の凸部と第２の凸部が互いに近づく方向に第１の凸部および第２の凸部に力を加えるだけで、第１の突出片の結合および第２の突出片の結合をそれぞれ解除できるので、本発明の結合具は結合解除が容易である。
【００９９】
また、本発明の容器は、このような本発明の結合具を備えているので、解体を容易に行なうことができる。
【０１００】
また、本発明の結合具は、第１の結合孔に第１の突出片を結合させ、第２の結合孔に第２の突出片を結合させるものであり、これに対応してスリーブの取付用孔も２つ形成されている。従って、１つの開口部に係合片を入れて結合させる結合具を使ってコンテナを組み立てた場合よりも、スリーブに形成された取付用孔の縁への負担が１／２となる。その結果、スリーブを劣化させにくい。
【符号の説明】
【０１０１】
１    結合具
２    基部
３    第１の挟持部
４    第２の挟持部
５    ヒンジ部
６    第１の突出片
７    第１の凸部
８    第２の突出片
９    第２の凸部
１０    第１の周囲壁
１１    第２の周囲壁
１２    第１の結合孔
１３    第２の結合孔
１４    第１の結合壁
１４Ａ  第１の端部壁領域
１４Ｂ  第１の傾斜部
１４Ｃ  第１の中間領域
１５    第２の結合壁
１５Ａ  第２の端部壁領域
１５Ｂ  第２の傾斜部
１５Ｃ  第２の中間領域
１６    第３の周囲壁
１７    第４の周囲壁
１８    ボス部
１９    内ネジ
２０    リブ
２１    回転拘束部材
２２    キー
２３    摘み部
２４    軸部
２５    角柱部
２６    スリーブ
２７    第１の連結孔
２８    第２の連結孔
２９    切り込み
３０    第１の中間壁
３１    第２の中間壁
４１    組立式コンテナ
４２    天蓋
４３    パレット
４３Ａ  脚
４３Ｂ  側壁
４３Ｃ  連結用孔
【要約】
【課題】結合解除を容易に行なうことができる結合具、並びに解体を容易に行なうことができる容器を提供する。
【解決手段】結合具１は、平板状の基部２と、基部２の一方の縁にヒンジ部５を介して折り曲げ可能に接続された第１の挟持部３と、基部２の他方の縁に折り曲げ可能に接続された第２の挟持部４とを備える。第１の挟持部３は、板状の第１の突出片６と、第１の突出片６の先端部から突出した第１の凸部７と、板状の第２の突出片８と、第２の突出片８の先端部から突出した第２の凸部９を有する。第２の挟持部４の、基部２を挟んで第１の突出片６と線対称となる位置に第１の結合孔１２が形成され、第２の挟持部４の、基部２を挟んで第２の突出片８と線対称となる位置に第２の結合孔１３が形成されている。第１の突出片６は第１の結合孔１２に挿通可能であり、第２の突出片８は第２の結合孔１３に挿通可能である。
【選択図】図１【図１】
0005719962.tif 000002
【図２】
0005719962.tif 000003
【図３Ａ】
0005719962.tif 000004
【図３Ｂ】
0005719962.tif 000005
【図４Ａ】
0005719962.tif 000006
【図４Ｂ】
0005719962.tif 000007
【図５】
0005719962.tif 000008
【図６】
0005719962.tif 000009
【図７】
0005719962.tif 000010
【図８】
0005719962.tif 000011
【図９】
0005719962.tif 000012